(57)【要約】【課題】引出扉を備えた貯蔵室内の容器の容積を拡大すると共に、容器の着脱が容易な冷蔵庫を提供することを目的とする。【解決手段】貯蔵室２を開閉する引出扉３と、左右の貯蔵室側壁２ａにそれぞれ設けられたレール６と、レール６内を摺動する可動ローラ７と、可動ローラ７が後端に設けられて引出扉３に接続された左右一対の支持枠４と、貯蔵室側壁２ａの前方側に設けられた固定ローラ５と、下段容器８上に位置する上段容器８ａと、を備えた冷蔵庫において、左右一対の支持枠４間の幅寸法と同等以上として、支持枠４から下方に延在する支持部材９を備え、支持部材９は、下部で下段容器８を支持して、上部で上段容器８ａを支持する。【選択図】  図２
2014006009.tif 000002
【特許請求の範囲】
【請求項１】
貯蔵室を開閉する引出扉と、前記貯蔵室内の左右側壁にそれぞれ設けられたレールと、該レール内を摺動する可動ローラと、該可動ローラが後端に設けられて前記引出扉に接続された左右一対の支持枠と、前記貯蔵室側壁の前方側に設けられた固定ローラと、下段容器と、該下段容器上に位置する上段容器と、を備えた冷蔵庫において、
左右一対の前記支持枠間の幅寸法と同等以上として、該支持枠から下方に延在する支持部材を備え、該支持部材は、下部で前記下段容器を支持して、上部で前記上段容器を支持することを特徴とする冷蔵庫。
【請求項２】
前記支持部材は、前記支持枠より下方は該支持枠の投影面内に位置しており、前記支持部材の下部に前記下段容器の載置部が形成されて、前記支持部材の上部に上段容器の載置部が形成されることを特徴とする、請求項１記載の冷蔵庫。
【請求項３】
前記下段容器のフランジ部上端と前記支持枠に至る前記支持部材下端との間に隙間を形成したことを特徴とする、請求項１又は２記載の冷蔵庫。
【発明の詳細な説明】
【技術分野】
【０００１】
本発明は、冷蔵庫に関する。
【背景技術】
【０００２】
本技術分野の背景技術として、特許文献１（特開２００８−８２６２４号公報）がある。
【０００３】
特許文献１には、「収容ケース３０の左右の側面方向に向けて突設された鍔部３１が、扉１０に設けられた支持枠２０により支持され、扉１０の背面側（収容室側）の面１３の下部に、左右の幅方向全体に渡って突出するケース受部１２が形成され、このケース受部１２は、収容ケース３０の下面における手前側の縁部３２を横幅方向ほぼ全体に渡って下側から支持する。前記縁部３２に複数のリブ３３が形成され、収容ケース３０の手前側の空間５ｂと、収容ケース３０の下方の空間５ａとが複数のリブ３３の間を通じて連通され、収容ケース３０を形成する手前側の側壁３６が、その上端部よりも下端部の方が手前側となるよう傾斜して形成されている。」と記載されている（要約の解決手段の欄）。
【先行技術文献】
【特許文献】
【０００４】
【特許文献１】特開２００８−８２６２４号公報
【発明の概要】
【発明が解決しようとする課題】
【０００５】
特許文献１に記載の構成では、収納ケース上端のフランジ部が支持枠に支持されている。この構成において、収納ケースの幅を支持枠より大きくした場合、収納ケースが支持枠から貯蔵室側壁側に突出することで、支持枠に対して収納ケースの着脱が困難となる。
【０００６】
そこで本発明は、引出扉を備えた貯蔵室内の容器の容積を拡大すると共に、容器の着脱が容易な冷蔵庫を提供することを目的とする。
【課題を解決するための手段】
【０００７】
上記課題を解決するために、例えば特許請求の範囲に記載の構成を採用する。本願は上記課題を解決する手段を複数含んでいるが、その一例を挙げるならば、貯蔵室を開閉する引出扉と、前記貯蔵室内の左右側壁にそれぞれ設けられたレールと、該レール内を摺動する可動ローラと、該可動ローラが後端に設けられて前記引出扉に接続された左右一対の支持枠と、前記貯蔵室側壁の前方側に設けられた固定ローラと、下段容器と、該下段容器上に位置する上段容器と、を備えた冷蔵庫において、左右一対の前記支持枠間の幅寸法と同等以上として、該支持枠から下方に延在する支持部材を備え、該支持部材は、下部で前記下段容器を支持して、上部で前記上段容器を支持することを特徴とする。
【発明の効果】
【０００８】
本発明によれば、引出扉を備えた貯蔵室内の容器の容積を拡大すると共に、容器の着脱が容易な冷蔵庫を提供することができる。
【図面の簡単な説明】
【０００９】
【図１】本発明の一実施形態における引出貯蔵室の容器を説明する冷蔵庫の要部縦断面図である。
【図２】図１のＡ−Ａ断面図である。
【図３】図１の下段容器の上面図である。
【図４】図２とは異なる実施形態を説明する図で、図１のＡ−Ａ断面相当図である。
【発明を実施するための形態】
【００１０】
以下、本発明を実施するための形態を、図を用いて説明する。図１は、本発明の一実施形態における引出貯蔵室の容器を説明する冷蔵庫の要部縦断面図である。図２は、図１のＡ−Ａ断面図である。図３は、図１の下段容器の上面図である。
【００１１】
図において、１は冷蔵庫本体である。冷蔵庫本体１は温度帯の異なる複数の貯蔵室が断熱区画されている。一例として、上から順に冷蔵室、冷凍室、野菜室等を有する。各図においては、そのうちひとつの貯蔵室２（例えば冷凍室や野菜室）を示している。３は貯蔵室２の前面開口を開閉する引出扉である。
【００１２】
貯蔵室２を構成する貯蔵室側壁２ａに対し、引出扉３を引出し自在とする構成として、引出扉３の左右には一対の支持枠４が設けられている。貯蔵室側壁２ａには、前方に固定ローラ５が設けられて、固定ローラ５より後方にレール６が設けられている。なお、支持枠４は、先端部にレール６内を摺動する可動ローラ７を有する。
【００１３】
支持枠４の引出扉３内壁への固定部は、上下方向で上部のハンドル１０に近い側に設けられている。この構成で、使用者が引出扉３の引き出し動作又は押し込み動作を行った際、支持枠４に過大なモーメントが働かないようにしている。また、固定部４ａに補強部１１を用いることで、支持枠４を引出扉３に取り付ける強度を向上できる。なお、補強部１１に支持枠４の固定部４ａが螺子等の締結部材１２によって固定されている。
【００１４】
次に、８は下段容器であり、８ａは上段容器である。下段容器８は、後述する支持部材９に支持されて、引出扉３を貯蔵室２から引き出した場合、引出扉３と共に貯蔵室２外に引き出される。
【００１５】
次に、支持部材９と支持枠４について説明する。  
支持部材９は、支持枠４表面を覆う支持枠カバー部９ａと、下段容器フランジ部１４を懸架する下段容器載置部９ｂを有する。支持枠カバー部９ａが支持枠４側に固定手段（図示せず）によって固定されることにより、略一体化されている。
【００１６】
なお、下段容器載置部９ｂには、規制孔４ａが設けられており、下段容器８の規制部１３に係止して下段容器８の前後方向の動きを規制する。
【００１７】
下段容器フランジ部１４を懸架する下段容器載置部９ｂは、下端が下段容器８側に曲がって延在しており、支持枠４の投影面内に位置している。そして、この下段容器載置部９ｂに、支持枠４の幅寸法Ｗ１と同等以上の幅寸法Ｗ２とした下段容器フランジ部１４を懸架させる。
【００１８】
すなわち、図２に示すように、下段容器８は高さ方向で支持枠４（支持部材９の支持枠カバー部９ａの支持枠カバー部分下端９ｃ）より下方に寸法ｈ離して配置されている。換言すると、下段容器フランジ部１４上端と支持枠４に至る支持部材９下端との間に隙間を形成している。
【００１９】
また、下段容器載置部９ｂに下段容器フランジ部１４を懸架させる時には、この寸法ｈ及び下段容器フランジ部１４の弾性変形を利用して、下段容器８を一時的に幅方向の寸法Ｗ１よりも小さくした状態で図２に示す所定位置に組み込む。
【００２０】
従来、支持枠４に載置する都合上、幅寸法Ｗ１より小さくせざるを得なかった下段容器フランジ部１４の幅寸法Ｗ２（下段容器８の側面８ｂを含む）を、貯蔵室側壁２ａの幅寸法Ｗに近づけた大きさとすることができる。換言すると、従来、支持枠４の上下方向投影面内は無効空間であったが、下段容器８を支持枠４と異なる支持部材９に懸架させた構成によって、収納量を拡大できる。
【００２１】
次に、９ｄは上段容器載置部である。この上段容器載置部９ｄは、支持枠カバー部９ａから中央方向に突出して設けられ、上段容器８ａを下方から支持する。
【００２２】
このように、本発明における下段容器８と上段容器８ａは、上下方向で所定距離を空けて干渉しないように配置されている。
【００２３】
また、上段容器８ａは、引出扉３を貯蔵室２から引き出すと同時に、上段容器載置部９ｄに載置した状態で貯蔵室２外に引き出される。すなわち、上段容器８ａ及び下段容器８は、引出扉３の開閉に伴って貯蔵室２内を出入りするものである。
【００２４】
そして、引出扉３開放時、下段容器８内の収納物を取り出す時には、上段容器８ａを貯蔵室２側に押し込み移動させる。このとき、上段容器フランジ部１６は、貯蔵室側壁２ａに設けた案内部１７上を摺動する。また、上段容器載置部９ｄと案内部１７は、上段容器８ａを略水平に移動させることができる高さ位置に設けられ、レールと同等に機能する。
【００２５】
次に、図４を参照して、図１から図３とは異なる実施形態を説明する。図１から図３と異なる点は、下段容器載置部９ｅが下段容器８の下方まで延在して、下段容器８の下部を支持している点である。この構成によれば、下段容器８をさらに安定して支持することができる。なお、その他の同一符号の構成は、図１から図３と同様のため、説明を省略する。
【００２６】
本発明は、以上説明した構成を有するものであるから、次の効果が得られる。  
まず、貯蔵室を開閉する引出扉と、前記貯蔵室内の左右側壁にそれぞれ設けられたレールと、該レール内を摺動する可動ローラと、該可動ローラが後端に設けられて前記引出扉に接続された左右一対の支持枠と、前記貯蔵室側壁の前方側に設けられた固定ローラと、下段容器と、該下段容器上に位置する上段容器と、を備えた冷蔵庫において、左右一対の前記支持枠間の幅寸法と同等以上として、該支持枠から下方に延在する支持部材を備え、該支持部材は、下部で前記下段容器を支持して、上部で前記上段容器を支持する。これにより、支持枠下部の空間まで容器を拡大して、収納量を拡大することができる。
【００２７】
また、前記支持部材は、前記支持枠より下方は該支持枠の投影面内に位置しており、前記支持部材の下部に前記下段容器の載置部が形成されて、前記支持部材の上部に上段容器の載置部が形成される。これにより、上段容器及び下段容器を支持する支持枠の引出扉への取り付け位置や構成を従来から大幅に変更することなく、容器収納量を拡大できる。
【００２８】
また、前記下段容器のフランジ部上端と前記支持枠に至る前記支持部材下端との間に隙間を形成する。これにより、支持枠への下段容器の脱着を、下段容器フランジ部を幅方向に弾性変形させることによって行うことができる。
【符号の説明】
【００２９】
１  冷蔵庫本体
２  貯蔵室（冷凍室、野菜室）
２ａ  貯蔵室側壁
３  引出扉
４  支持枠
４ａ  規制孔
５  固定ローラ
６  レール
７  可動ローラ
８  下段容器
８ａ  上段容器
８ｂ  下段容器側面
９  支持部材
９ａ  支持枠カバー部
９ｂ、９ｅ  下段容器載置部
９ｃ  支持枠カバー部分下端
９ｄ  上段容器載置部
１０  ハンドル
１１  補強部
１２  締結部材（螺子）
１３  規制部
１４  下段容器フランジ部
１６  上段容器フランジ部
１７  案内部
【図１】
2014006009.tif 000003
【図２】
2014006009.tif 000004
【図３】
2014006009.tif 000005
【図４】
2014006009.tif 000006